(57)【要約】      （修正有）【課題】収納体積または重量を拡張できる収容かごを備えたベビーカーを提供する。【解決手段】車体フレーム１と、車体フレーム１から更に後方へ略水平に延伸する位置に配置することができるように取り付けられている支持枠２と、車体フレーム１に取付けられる収容かご３とを備えるベビーカーであって、収容かご３は、車体フレーム１に略水平に取付けられた本体底部と後側に開口が開けられた収容本体４、および本体底部の後端に繋がる拡張底部５１を有する。拡張底部は、拡張手段５により、収容本体４の後側に開けられた前記開口を覆う直立位置と、支持枠２により略水平に支持される拡張位置との間を切り替えることができるように構成されている。【選択図】図１
0003184813.tif 000002
【実用新案登録請求の範囲】
【請求項１】
前方へ延伸する前サポートフレームと、前記前サポートフレームから後方へ延伸する左右一対の後サポートバーとを有する車体フレームと、
前記車体フレームの前記左右一対の後サポートバーに、前記後サポートバーから更に後方へ略水平に延伸する位置に配置されることができるように取り付けられている支持枠と、
前記車体フレームに取付けられる収容かごとを備えるベビーカーであって、
前記収容かごは、
前記車体フレームに略水平に取付けられる本体底部を有すると共に後側に向かう開口が開けられている収容本体と、
前記収容本体の前記本体底部の後端に繋がっていると共に、前記収容本体の後側に向かう前記開口を覆う直立位置と、前記支持枠により略水平に支持される拡張位置との間に切り替えることができるように構成されている拡張底部を有する拡張手段と、
を備えることを特徴とするベビーカー。
【請求項２】
前記本体底部の周縁には、本体保持部が前記収容本体の前方側及び両側を覆って上方及び後方に向かう開口を有する固有収容空間を囲むことができるように繋がっており、
前記拡張手段は、前記収容本体の前記本体保持部及び前記拡張手段の前記拡張底部と連続している左支持部及び右支持部を更に有し、
前記左支持部及び前記右支持部は、前記拡張底部が直立位置に切り替わる時には前記拡張底部に折り畳まれて収納され、前記拡張底部が前記支持枠により略水平に支持される前記拡張位置に切り替わる時には、前記拡張底部から展開されて前記左右一対の後支持バーに取付けられて前記拡張底部の直上の空間の左右両側を覆うことができるように構成されていることを特徴とする請求項１に記載のベビーカー。
【請求項３】
前記拡張手段は、前記拡張底部、前記左支持部及び前記右支持部と連続している後支持部を更に有しており、
前記後支持部は、前記拡張底部が直立位置に切り替わる時には、前記拡張底部に折り畳まれ、前記拡張底部が前記支持枠により略水平に支持される前記拡張位置に切り替わる時には、前記拡張底部の直上の空間の後側を覆うことができるように構成され、且つ、前記拡張底部、前記左支持部及び前記右支持部と共に、前記固有収容空間と連続する拡張収容空間を囲むようになっていることを特徴とする請求項２に記載のベビーカー。
【請求項４】
前記拡張手段は、前記左支持部の上端縁と連続すると共に、左側の前記後サポートバーに取付けられている左追加支持部と、前記右支持部の上端縁と連続すると共に、右側の前記後サポートバーに取付けられている右追加支持部と、を更に有することを特徴とする請求項３に記載のベビーカー。
【請求項５】
前記左支持部及び前記右支持部は、それぞれ前記左追加支持部及び右追加支持部を収容できる二重構成が形成されていることを特徴とする請求項４に記載のベビーカー。
【請求項６】
前記支持枠は回動可能に構成されており、
前記拡張手段が有する拡張底部は、前記支持枠に取付けられて前記支持枠の回動に従って、前記開口を覆う直立位置と、前記支持枠により略水平に支持される拡張位置との間に切り替えられることができることを特徴とする請求項１〜請求項５のいずれか一項に記載のベビーカー。
【請求項７】
前記拡張手段が有する前記拡張底部は、前記拡張底部と前記支持枠とを繋ぐことができると共に取り外し可能な第１の繋止ベルトによって、前記支持枠に取付けられることを特徴とする請求項６に記載のベビーカー。
【請求項８】
前記拡張手段が有する前記拡張底部は、前記拡張底部と前記後サポートバーとを繋ぐことができると共に取り外し可能な第２の繋止ベルトによって、前記収容本体の後側に向かう前記開口を覆う直立位置に保持されることを特徴とする請求項１〜請求項７のいずれか一項に記載のベビーカー。
【考案の詳細な説明】
【技術分野】
【０００１】
本考案はベビーカーに関し、特に、荷物を収容できる収容かごを備えたベビーカーに関する。
【背景技術】
【０００２】
従来のベビーカーには、幼児が載せられる椅子の下に収納用のかごが取付けられるものがある。このような収納用のかごは、ベビーカーの椅子の下に配置されているため収納空間が限られている上、ベビーカーフレームの折り畳みに合わせて、簡単に折り畳みできるやわらかい材料、例えば布やビニール材を使用するものが殆どであり、そのため収納できる重量も限られている。
【考案の概要】
【考案が解決しようとする課題】
【０００３】
本考案は上記従来のベビーカー収納手段の問題点に対し、収納できる体積または重量を拡張できる収容かごを備えたベビーカーの提供を目的とする。
【課題を解決するための手段】
【０００４】
上記目的を達成すべく、本考案は、前方へ延伸する前サポートフレームと、前記前サポートフレームから後方へ延伸する左右一対の後サポートバーとを有する車体フレームと、前記車体フレームの前記左右一対の後サポートバーに、前記後サポートバーから更に後方へ略水平に延伸する位置に配置されることができるように取り付けられている支持枠と、前記車体フレームに取付けられる収容かごとを備えるベビーカーであって、前記収容かごは、前記車体フレームに略水平に取付けられる本体底部を有すると共に後側に向かう開口が開けられている収容本体と、前記収容本体の前記本体底部の後端に繋がっていると共に、前記収容本体の後側に向かう前記開口を覆う直立位置と、前記支持枠により略水平に支持される拡張位置との間に切り替えることができるように構成されている拡張底部を有する拡張手段と、を備えることを特徴とするベビーカーを提供する。
【０００５】
上記ベビーカーにおいて、前記本体底部の周縁には、本体保持部が前記収容本体の前方側及び両側を覆って上方及び後方に向かう開口を有する固有収容空間を囲むように繋り、前記拡張手段は、前記収容本体の前記本体保持部及び前記拡張手段の前記拡張底部と連続している左支持部及び右支持部を更に有し、前記左支持部及び前記右支持部は、前記拡張底部が直立位置に切り替わる時には前記拡張底部に折り畳まれて収納され、前記拡張底部が前記支持枠により略水平に支持される前記拡張位置に切り替わる時には、前記拡張底部から展開されて前記左右一対の後支持バーに取付けられて前記拡張底部の直上の空間の左右両側を覆うことができるように構成されることが好ましい。
【０００６】
上記ベビーカーにおいて、前記拡張手段は、前記拡張底部、前記左支持部及び前記右支持部と連続している後支持部を更に有し、前記後支持部は、前記拡張底部が直立位置に切り替わる時には、前記拡張底部に折り畳まれ、前記拡張底部が前記支持枠により略水平に支持される前記拡張位置に切り替わる時には、前記拡張底部の直上の空間の後側を覆うことができるように構成され、且つ、前記拡張底部、前記左支持部及び前記右支持部と共に、前記固有収容空間と連続する拡張収容空間を囲むようになっていることが好ましい。
【０００７】
上記ベビーカーにおいて、前記拡張手段は、前記左支持部の上端縁と連続すると共に、前記左側の前記後サポートバーに取付けられている左追加支持部と、前記右支持部の上端縁と連続すると共に、前記右側の前記後サポートバーに取付けられている右追加支持部と、を更に有することが好ましい。
【０００８】
上記ベビーカーにおいて、前記左支持部及び前記右支持部は、それぞれ前記左追加支持部及び右追加支持部を収容できる二重構成が形成されていることが好ましい。
【０００９】
上記ベビーカーにおいて、前記支持枠は回動可能に構成されており、前記拡張手段が有する拡張底部は、前記支持枠に取付けられて前記支持枠の回動に従って、前記開口を覆う直立位置と、前記支持枠により略水平に支持される拡張位置との間に切り替えられるように構成されることができることが好ましい。
【００１０】
上記ベビーカーにおいて、前記拡張手段が有する前記拡張底部は、前記拡張底部と前記支持枠とを繋ぐことができ、且つ取り外し可能な第１の繋止ベルトによって、前記支持枠に取付けられることが好ましい。
【００１１】
上記ベビーカーにおいて、前記拡張手段が有する前記拡張底部は、前記拡張底部と前記後サポートバーとを繋ぐことができ、且つ取り外し可能な第２の繋止ベルトによって、前記収容本体の後側に向かう前記開口を覆う直立位置に保持されることが好ましい。
【考案の効果】
【００１２】
上記構成により、本考案のベビーカーは、車体フレームに取付けられる収容本体と、収容本体の底部の後端に繋がっていると共に、収容本体の後側に向かう開口を覆う直立位置と、支持枠により略水平に支持される拡張位置との間に切り替えることができるように構成されている拡張底部を有する拡張手段と、を備えるので、拡張手段を有しない従来の収納用のかごより収納できる体積または重量を拡張することができる。
【図面の簡単な説明】
【００１３】
【図１】本考案のベビーカーの第１の実施形態を後側から見て、支持枠が略直立に配置されている状態が示される斜視図である。
【図２】本考案のベビーカーの第１の実施形態を後側から見て、第１の繋止ベルトが取り外されて支持枠が略水平に下ろされた状態が示される斜視図である。
【図３】本考案のベビーカーの第１の実施形態を後側から見て、第１及び第２の繋止ベルトが共に取り外されて支持枠のみが略水平に下ろされた状態が示される斜視図である。
【図４】本考案のベビーカーの第１の実施形態を後側から見て、支持枠及び拡張手段が有する拡張底部が略水平に下ろされた状態が示される斜視図である。
【図５】本考案のベビーカーの第１の実施形態を後側から見て、拡張手段が有する左支持部及び右支持部が拡張底部に折り畳まれる状態から取り出される様子が示される斜視図である。
【図６】本考案のベビーカーの第１の実施形態を後側から見て、拡張手段が有する左支持部及び右支持部が拡張底部に折り畳まれる状態から取り出されて左右一対の後サポートバーにそれぞれ取付けられる様子が示される斜視図である。
【図７】本考案のベビーカーの第１の実施形態を後側から見て、右支持部の二重構成が示される斜視図である。
【図８】本考案のベビーカーの第１の実施形態を後側から見て、左、右追加支持部が更に取付けられている状態が示される斜視図である。
【図９】本考案のベビーカーの第２の実施形態を後側から見て、支持枠及び拡張手段が有する拡張底部が略水平に下ろされた状態が示される斜視図である。
【図１０】本考案のベビーカーの第３の実施形態を後側から見て、略水平に下ろされた支持枠に収容バッグが乗せられている状態が示される斜視図である。
【考案を実施するための形態】
【００１４】
以下では各図面を参照しながら、本考案の各好ましい実施形態について詳しく説明する。
【００１５】
図１〜図８に本考案のベビーカーの第１の実施形態を後側から見た斜視図が示されている。図１は本考案のベビーカーの第１の実施形態を後側から見て、支持枠が略直立に配置されている状態が示される斜視図である。図２は本考案のベビーカーの第１の実施形態を後側から見て、第１の繋止ベルトが取り外されて支持枠が略水平に下ろされた状態が示される斜視図である。図３は本考案のベビーカーの第１の実施形態を後側から見て、第１及び第２の繋止ベルトが共に取り外されて支持枠のみが略水平に下ろされた状態が示される斜視図である。図４は本考案のベビーカーの第１の実施形態を後側から見て、支持枠及び拡張手段が有する拡張底部が略水平に下ろされた状態が示される斜視図である。図５は本考案のベビーカーの第１の実施形態を後側から見て、拡張手段が有する左支持部及び右支持部が拡張底部に折り畳まれる状態から取り出される様子が示される斜視図である。図６は本考案のベビーカーの第１の実施形態を後側から見て、拡張手段が有する左支持部及び右支持部が拡張底部に折り畳まれる状態から取り出されて左右一対の後サポートバーにそれぞれ取付けられる様子が示される斜視図である。図７は本考案のベビーカーの第１の実施形態を後側から見て、右支持部の二重構成が示される斜視図である。図８は本考案のベビーカーの第１の実施形態を後側から見て、左、右追加支持部が更に取付けられている状態が示される斜視図である。
【００１６】
図１に示されているように、本考案のベビーカーの第１の実施形態は、前方へ延伸する前サポートフレーム１１と、前サポートフレーム１１の中段部から後方へ延伸する左右一対の後サポートバー１２とを有する車体フレーム１と、車体フレーム１の左右一対の後サポートバー１２に取り付けられている支持枠２と、車体フレーム１に取付けられる収容かご３と、を備えるものである。
【００１７】
そして図１、図２に示されているように、支持枠２は車体フレーム１に対して、図１に示されている略直立の位置と図２に示されている略水平の位置との間に回動できるように、左右一対の後サポートバー１２に枢支されていると共に、下端にキャスター２１が取り付けられている。
【００１８】
収容かご３は、図示のように網材により作成された収容本体４と拡張手段５とからなる。収容本体４は車体フレーム１に略水平に取付けられる本体底部４１を有すると共に後側に向かう開口が開けられている。拡張手段５は、収容本体４の本体底部４１の後端に繋がっていると共に、図３に示されている収容本体４の後側に向かう開口を覆う直立位置と、図４に示されている支持枠２により略水平に支持される拡張位置との間に切り替えることができるように構成されている。ちなみに、本考案における収容かご３は網材の他に、例えば布やビニール材など薄く、柔らかく、且つ折り畳みやすい材料を使用することも可能である。更に、薄い板材などを敷くことも可能である。
【００１９】
この実施形態において、本体底部４１は四角形に形成されているが、これに限らず、車体フレーム１に構成や設計上の要求に応じて他の形状に形成されることも可能である。
【００２０】
ここで、図１〜図３に示されているように、拡張手段５が有する拡張底部５１は、拡張底部５１と支持枠２とを繋ぐことができると共に取り外し可能な第１の繋止ベルト６によって、支持枠２に取付けられると共に、拡張底部５１と左右一対の後サポートバー１２とを繋ぐことができると共に取り外し可能な第２の繋止ベルト７によって、収容本体の後側に向かう前記開口を覆う直立位置に保持される。
【００２１】
従って、拡張手段５が有する拡張底部５１は、第１の繋止ベルト６により支持枠２に取付けられて支持枠２の回動に従って、図１に示される前記開口を覆う直立位置と、図３に示される支持枠２により略水平に支持される拡張位置と、の間に切り替えできる。
【００２２】
ここで、第１の繋止ベルト６や第２の繋止ベルト７は、例えば両端にそれぞれ嵌めあうことができるボタンや、ファスナー、あるいは面ファスナーを用いて拡張底部５１を支持枠２や左右一対の後サポートバー１２に繋ぐことができる。ちなみに、この実施形態ではオスボタン７１とメスボタン７２が使用されている。
【００２３】
更に、図５に示されているように、本体底部４１の周縁には、本体保持部４２が収容本体４の前方側及び両側を覆って上方及び後方に開口する固有収容空間３１を囲むように繋がっており、拡張手段５は、収容本体４の本体保持部４２及び拡張手段５の拡張底部５１と連続する左支持部５２１及び右支持部５２２を更に有し、左支持部５２１及び右支持部５２２は、拡張底部５１が直立位置に切り替わる時には拡張底部５１に折り畳まれて収納され、拡張底部５１が支持枠２により略水平に支持される拡張位置に切り替わる時には、図５、図６に示されているように、拡張底部５１から展開されて左右一対の後支持バー１２にそれぞれ取付けられて拡張底部５１の直上の空間の左右両側を覆うことができるように構成されている。
【００２４】
また、この実施形態において本体保持部４２は前サポートフレーム１１と左右一対の後サポートバー１２とに掛け渡されている。
【００２５】
また、左支持部５２１及び右支持部５２２がは拡張底部５１から展開される時は、左右一対の後支持バー１２ではなく、本体保持部４２の後端に取り付けることも可能である。
【００２６】
また、図５〜図７に示されているように、拡張手段５は、拡張底部５１、左支持部５２１及び右支持部５２２と連続する後支持部５３を更に有しており、該後支持部５３は、拡張底部５１が直立位置に切り替わる時、拡張底部５１に折り畳まれ、拡張底部５１が支持枠２により略水平に支持される拡張位置に切り替わる時、拡張底部５１の直上の空間の後側を覆うことができるように構成され、且つ、拡張底部５１、左支持部５２１及び右支持部５２２と共に、固有収容空間３１と連続する拡張収容空間３２を囲むようになっている。
【００２７】
ここで、この実施形態における拡張手段５は、拡張底部５１と左支持部５２１と右支持部５２２と後支持部５３と有するように構成されているが、図４に示されているように、拡張手段５が拡張底部５１が支持枠２により略水平に支持される拡張位置に切り替わる時において、左支持部５２１と右支持部５２２と後支持部５３は展開される必要がなく、図４に示されている状態でより長いものを固有収容空間３１と拡張収容空間３２に収容することも可能である。
【００２８】
更に、図８に示されているように、拡張手段５は、左支持部５２１の上端縁と連続すると共に、左側の前記後サポートバー１２に取付けることができる左追加支持部５４１と、右支持部５２２の上端縁と連続すると共に、右側の前記後サポートバー１２に取付けることができる右追加支持部５４２と、を更に有している。ここで、左追加支持部５４１や右追加支持部５４２の後サポートバー１２に対する取付けは、嵌め合うボタンやファスナー、面ファスナーを用いることができる。
【００２９】
また、左支持部５２１及び右支持部５２２は、それぞれ左追加支持部５４１及び右追加支持部５４２を収容できるポケット５２０を画成する二重構成に形成されている。
【００３０】
図９は本考案のベビーカーの第２の実施形態を後側から見て、支持枠２及び拡張手段５が有する拡張底部５１が略水平に下ろされた状態が示される斜視図である。
【００３１】
図示のように、本考案のベビーカーの第２の実施形態は第１の実施形態に類似しているが、この第２の実施形態において、拡張手段５の構成が簡単化されている。即ち、本考案のベビーカーが有する拡張手段５は図示のように、拡張底部５１と左支持部５２１と右支持部５２２のみで構成されることが可能であり、この実施形態では後支持部５３を有しないため、左支持部５２１と右支持部５２２はそれぞれ三角形に形成されている。
【００３２】
図１０は本考案のベビーカーの第３の実施形態を後側から見て、略水平に下ろされた支持枠２に収容バッグ８が乗せられている状態が示される斜視図である。
【００３３】
図示のように、本考案のベビーカーの第３の実施形態は第１の実施形態に類似しているが、収容バッグ８を更に有する点で異なっている。収容バッグ８は柔らかい材料により作成されたものであり、図示のように例えば略水平に下ろされた支持枠２に乗せることができる。また、収容バッグ８は柔らかい材料により作成されたので、使用しない時には折り畳んで拡張底部５１に収納することができる。
【００３４】
また、本考案の各実施形態では、支持枠２は車体フレーム１に対して略水平の位置との間に回動できるように枢支されるように構成されているが、この構成から枢支構成を省略し、車体フレーム１が有する左右一対の後サポートバー１２から更に後方へ略水平に延伸する位置に配置されるように構成することも可能である。
【産業上の利用可能性】
【００３５】
上記構成により、本考案のベビーカーは、車体フレームに取付けられる収容本体と、収容本体の底部の後端に繋がっていると共に、収容本体の後側に向かう開口を覆う直立位置と、支持枠により略水平に支持される拡張位置との間に切り替えることができるように構成されている拡張底部を有する拡張手段とを備えるので、拡張手段を有しない従来の収納用のかごより収納できる体積または重量を拡張することができる。
【符号の説明】
【００３６】
１  ベビーカー
１１  前サポートフレーム
１２  後サポートバー
２  支持枠
３  収容かご
３１  固有収容空間
３２  拡張収容空間
４  収容本体
４１  本体底部
４２  本体保持部
５  拡張手段
５１  拡張底部
５２０  ポケット
５２１  左支持部
５２２  右支持部
５３  後支持部
５４１  左追加支持部
５４２  右追加支持部
６  第１の繋止ベルト
７  第２の繋止ベルト
７１  オスボタン
７２  メスボタン
８  収容バッグ
【図１】
0003184813.tif 000003
【図２】
0003184813.tif 000004
【図３】
0003184813.tif 000005
【図４】
0003184813.tif 000006
【図５】
0003184813.tif 000007
【図６】
0003184813.tif 000008
【図７】
0003184813.tif 000009
【図８】
0003184813.tif 000010
【図９】
0003184813.tif 000011
【図１０】
0003184813.tif 000012